(57)【要約】【課題】棚板を棚板支持部材に完全に挿入嵌合固定した状態で、棚板に上方からの力が働いた場合は無論のこと、棚板に下方からの力が働いた場合にても不安定にならず、しかも、棚板の挿入時や脱抜時には、円滑に挿入あるいは脱抜が行える棚板支持機構を開発する。【解決手段】棚板の後端部に上面と下面にテーパが付された弾性体パッキンが被覆されており、棚板支持部材の下部支持板と弾性体パッキンの下面に段部が形成され、両方の段部の間、及び弾性体パッキンの下面後部と下部支持板の間に夫々間隙を有する棚板支持機構を提供する。【選択図】        図１
2010136970.tif 000002
【特許請求の範囲】
【請求項１】
壁面に固着される壁面パネルと、壁面パネルに嵌合固定される棚板支持部材と、棚板支持部材に一端部を挿入固定される棚板よりなる棚板支持機構において、
壁面パネルの位置する方向を後方、棚板の位置する方向を前方とした場合に、
壁面パネルの挿入口に棚板支持部材の背面が嵌合固定され、
棚板支持部材の上部支持板と下部支持板が水平面より微小角度だけ正面上方に傾斜されており、
棚板支持部材の下部支持板に正面側が高くなるように段部が形成されており、
棚板の背面端部に弾性体パッキンが被覆されており、
該弾性体パッキンは、上面の前端部が、正面に向かって厚さを減ずるようにテーパが付されており、該弾性体パッキンの下面においては、棚板支持部材の下部支持板の段部に略相対する位置に、段部が設けられており、該段部から背面側に背面に向かって厚さを減ずるようにテーパが付されており、
上記弾性体パッキンを被覆させた棚板の背面を棚板支持部材の上部支持板と下部支持板の間に完全に挿入嵌合させた際に、
棚板の弾性体パッキンの下面のテーパが付された部分と棚板支持部材の下部支持板の上面の間に背面に向かって高さを増す間隙が生じるように構成され、
且つ、棚板支持部材の下部支持板の段部と棚板に被覆された弾性体パッキンの下面の段部との間に僅かな間隙が生じるように構成されていることを特徴とする棚板支持機構。
【請求項２】
棚板支持部材の上部支持板と下部支持板の挿入口を構成する部分の夫々内側にローレットが刻切されていることを特徴とする請求項１に記載の棚板支持機構。
【発明の詳細な説明】
【技術分野】
【０００１】
本発明は、壁面に固着される壁面パネルと、壁面パネルに嵌合固定される棚板支持部材と、棚板支持部材に一端部を挿入固定される棚板よりなる棚板支持機構に関するものである。
【背景技術】
【０００２】
壁面パネルと、壁面パネルに嵌合固定される棚板支持部材と、棚板支持部材に一端部を挿入固定される棚板よりなる従来の棚板支持機構の一部を下記特許文献１〜８に示す。この種の棚板支持機構においては、あらかじめ棚板に棚板支持部材を装着しておいてから、棚板支持部材の嵌合部分を壁面パネルの挿入口に挿入嵌合固定させるタイプ（下記特許文献１〜４）と、あらかじめ壁面パネルの挿入口に棚板支持部材を嵌合固定しておいてから、棚板支持部材の上部支持板と下部支持板の間の挿入部に棚板を挿入固定させるタイプ（下記特許文献５〜８）の両タイプがある。
【０００３】
このうち、前者のタイプにては、棚板支持部材の挿入口と挿入される棚板背面部の寸法を正確に合わせる技術が採用されているので、棚板支持部材と棚板の固定状態には略問題は生じない。すなわち、棚板支持部材の上部支持板と下部支持板の間の挿入口の寸法を棚板の寸法に合わせて可変できる構成となっているものが多く（下記特許文献１〜３）、寸法が合った状態で、ネジなどで挟着固定するので、棚板支持部材と棚板が一体化する。下記特許文献４においては、棚板支持部材の挿入口の寸法が固定されているので、その寸法に合う棚板しか使用できず、かつ固定方法も弾性体パッキンを用いるものであるが、考え方としては共通している。
【０００４】
このような固定方法を採るものにおいては、確かに棚板支持部材と棚板の関係は安定するが、棚板支持部材と壁面パネルの関係においては、どうしても不安定要因が残らざるを得なかった。すなわち、棚板に棚板支持部材を固着させておいてから、棚板支持部材の嵌合部分を壁面パネルの挿入口に嵌合固定させるという構成上、棚板支持部材と壁面パネルの嵌合は、操作性からいって、簡便に済ませたいということになり、下記特許文献１〜３に見られるように、棚板支持部材の嵌合部分と壁面パネルの挿入口を断面円弧状に構成して、棚板を「回動させつつ差し込む」という簡単な動作で一定の固定状態が確保できるように工夫した。
【０００５】
ところが、このような簡単な嵌合状態の場合、棚板に通常の下向きの力がかかっている場合には、嵌合状態は安定的に保持されるが、例えば棚板に裏面側から何かが当たるなどの上向きの力が働くと、棚板支持部材の嵌合部分が簡単に壁面パネルの挿入口から脱抜され、棚板支持部材に固定された棚板ごと脱落してしまうという事故が多発した。脱落防止機構を持たない下記特許文献１の発明などが、その例として挙げられる。
【０００６】
このような、上向きの力が働いた場合の不安定さを回避するために、下記特許文献２、３のような脱落防止機構が考え出された。このような機構を装着すれば、確かに上記不安定さは、ある程度解消される。しかしながら、このような付加的な構成は、棚板装着の際の面倒さを増加させる結果となり、且つ又、外観的にも見た目がすっきりとしないというマイナス要因を生じさせることとなった。特に、商店などでディスプレイ用に用いられる棚板においては、見た目にすっきりとしたデザイン的な要素が大切になってくるので、そういう観点からもこのような構成は不評であった。
【０００７】
下記特許文献４においては、そのような欠点をカバーしようとする試みが見られる。すなわち、付加的な脱落防止機構を用いず、安定性を、上下の弾性体パッキンにて確保せんとする試みである。これにより、確かに見た目はすっきりとして、しかも、ある程度の安定性は得られるようになった。しかしながら、この考案においても、この種の発明考案、すなわち、棚板に予め棚板支持部材を固着させて、棚板支持部材の嵌合部を壁面パネルの挿入口に嵌合固定させるという種類の発明考案に共通の問題点は克服されないままであった。
【０００８】
上記問題点は、以下の２つに集約される。すなわち、第１は、棚板の方に予め棚板支持部材を嵌合固着させておかねばならないという点であり、第２は、ここから派生する問題点として、棚板支持部材を嵌合固着させた棚板を壁面パネルに嵌合固定させる際に、操作者の動作が大きくなり、また操作には多少の困難がつきまとうという点である。
【０００９】
まず、第１の問題点から説明する。棚板の方に予め棚板支持部材を嵌合固着させるためには、特に下記特許文献１〜３の場合、棚板の挿入口の間隔を調整するためのネジの締め込み操作があって厄介である。また、下記特許文献１においては、壁面パネルに圧接される棚板支持部材の背面下部の調整ネジまであって、さらに厄介となる。この点、下記特許文献４の考案においては、対向する弾性体パッキンの間に棚板の後端部を挟みこむだけなので、かなり簡略化された。
【００１０】
しかしながら、棚板支持部材と棚板が固着された状態を前提とする下記特許文献１〜４の発明考案においては、例えば棚板を壁面パネルから取り外して掃除をする際にも、さらに棚板支持部材を外さないと完全に掃除することができない。また、棚板だけを交換する際にも、一々棚板支持部材を外して付け替えなければならないなどの不具合は、依然として解消されていなかった。
【００１１】
上記のような様々な問題点を解消するために考えられたのが、下記特許文献５〜８に紹介する構成である。すなわち、下記特許文献５〜８においては、棚板支持部材を予め棚板に固着するという構成を放棄し、逆に、先に棚板支持部材を壁面パネルに嵌合固定させておいて、そこに棚板の後部を挿入し嵌合固定するという構成を採用した。
【００１２】
すなわち、このようにすることにより、予め壁面パネルに嵌合固定された棚板支持部材に棚板の後部を挿入するという動作だけでよくなったので、操作者にとっては大いに負担の軽減になった。つまり、下記特許文献１〜４のような構成であると、棚板の後部に固着された棚板支持部材の嵌合部分を壁面パネルの挿入口に嵌めこむために、操作者は、棚板の前部をかなり急角度に持ち上げて、しかるのち、棚板支持部材の嵌合部分を壁面パネルの挿入口に慎重に挿入しなければならない。棚板の幅があまり長くないときにはまだこの操作は難しくはないが、棚板の幅が長くなると、棚板自体の重量も増し、さらに棚板の左右にて棚板支持部材の嵌合部分を壁面パネルの挿入口に嵌めこまねばならないので、力の弱い女性や高齢者においては負担のかかる作業となる。棚板の幅によっては、二人がかりで行わねばならない作業であった。
【００１３】
しかるに、下記特許文献５〜８のような構成であると、操作者は、棚板の前部を軽く持ち上げて、後端部を棚板支持部材に挿入するだけで、あとは自重で棚板が下がり、嵌合固定される。棚板支持部材の挿入口となる上部支持板と下部支持板の間は、棚板の後端部より広く設定されているので、壁面パネルの挿入口に棚板支持部材の嵌合部分をぴったりと挿入しなければならなかった下記特許文献１〜４の発明考案に比較すると、はるかに楽に棚板の嵌合固定が行える。棚板の幅が広く、あるいは重量が重い場合にも、棚板を僅かに持ち上げて、広めの棚板支持部材の挿入口に挿入するだけなので、女性や高齢者でも楽に作業が行えるし、幅広い棚板でも一人で作業が可能である。
【００１４】
このように、下記特許文献１〜４の発明考案に比較すると、非常に気楽に棚板の着脱ができるようになったので、棚板の交換や掃除が気軽に行えるようになった。また、棚板の掃除の際にも、棚板に棚板支持部材のような余分な部材が付いていないので、完全に掃除が行える。さらにまた、下記特許文献２、３のような付加的な脱落防止機構もないので、見た目もすっきりとしており、お洒落なブティックや小物店などの空間にも違和感なく使用することができる。
【００１５】
しかしながら、このように長所は多いものの、下記特許文献５〜８のような構成において、すべての問題点が解消されたわけではなかった。まず、棚板の挿入の容易さを重視した構成から、どうしても棚板の厚さより、棚板支持部材の挿入口の上部支持板と下部支持板の間隔を大きめに取る必要が生じるが、そうするとやはり棚板の安定性が問題となる。特に、棚板に隠れてしまう下側の下部支持板は正面側に長く突出できるので、棚板に上から荷重がかかる通常の使用の場合は良いが、棚板に下方から突き上げるような力が加わると、安定性が崩れる原因となる。
【００１６】
下記特許文献５の考案においては、この安定性の確保を、棚板の後端部を下側からネジにて圧接するという方法にて行っている。すなわち、棚板の後端部上面には棚板支持部材の上部支持板に嵌めこまれた弾性体パッキンが当接しており、棚板の後端部下面に下方からネジで上向きの力を加えることによって、棚板の後端部上面を弾性体パッキンに圧接させ、ネジと弾性体パッキンにて棚板の後端部を挟着することによって安定性を確保せんとする構成である。
【００１７】
しかしながら、このような構成の場合、棚板後部を棚板支持部材に嵌合するだけでは棚板の固定はできず、棚板の裏側から何箇所か、ネジを回転させて棚板を最終的に固定するという作業が必要となってくる。また、棚板を取り外す場合も同様の作業が必要となり、非常に煩雑である。さらに、作業が、棚板の裏側の奥から行わねばならないので、特に低い位置にある棚板の場合、作業そのものが大変である。また、棚板の後端部下面にネジを当接させて締めこむので、棚板の素材によっては棚板を傷つけるおそれも出てくる。
【００１８】
すなわち、下記特許文献５の考案は、下記特許文献１〜４の発明考案から下記特許文献６〜８の考案に移行する過渡期に現れた技術内容であり、下記特許文献６〜８の考案においては、下記特許文献５の考案の有していた問題点の多くが解消され、かなり使いやすいものとなっている。すなわち、下記特許文献６〜８の考案においては、棚板の正面前部をやや持ち上げ気味にして棚板の後端部を棚板支持板の挿入口に奥まで挿入したあと手を離せば、棚板は、棚板支持板の回転モメント支点を軸にして自重で前部が下がり後部が上がるように僅かに回動してその状態で安定的に固定される。すなわち、棚板の後端部上面に当接する回転モメント支点が棚板の後端部下面に当接する回転モメント支点より奥に位置するように棚板支持板が構成されているので、通常の荷重、すなわち、棚板の上面に上方からの力が加わる状態においては、固定状態が極めて安定的に維持されるのである。
【００１９】
しかしながら、下記特許文献６〜８の考案においては、棚板に働く下方からの力に対する対処が、やはり完全には行われていない点が指摘される。すなわち、棚板の挿入時に、棚板の前部をやや持ち上げるようにして挿入するので、使用時に、棚板に下方から上向きの力が加わると、ちょうど挿入時のような状態となって安定性が崩れ、これに、さらに棚板を正面方向に引くような力が加わった場合、棚板が棚板支持部材の挿入口から脱抜されてしまうような事態にまで及ぶことがあり得る。
【００２０】
このため、下記特許文献６〜８の考案においては、いずれも、棚板支持部材の下部支持板の一部に摩擦力の強い弾性体パッキンを用いて、摩擦力により棚板の脱抜を防止せんとしているが、実際上は、その防止能力は不十分であり、下方からの上向きの力に対する棚板の不安定性は解消されたとは言い難く、この点の解決が希求されている現状である。
【特許文献１】特開２００４‐１８７９６８号公報
【特許文献２】特開２００５‐２２４３８８号公報
【特許文献３】特開２００７‐９７９７８号公報
【特許文献４】実用新案登録第３１１３９１１号公報
【特許文献５】実用新案登録第３１２４８１０号公報
【特許文献６】実用新案登録第３１２５４８３号公報
【特許文献７】実用新案登録第３１２５９９４号公報
【特許文献８】実用新案登録第３１２６３９７号公報
【発明の開示】
【発明が解決しようとする課題】
【００２１】
以上より、本発明の解決すべき課題をまとめてみると、次のとおりである。
＜課題１＞
本発明の棚板支持機構においては、棚板装着作業の容易さ等から考えて、棚板に予め棚板支持部材を固着させておく構成ではなく、棚板支持部材を予め壁面パネルに嵌合させておき、そこに棚板を挿入嵌合固定する方式を採用する。
＜課題２＞
その際、棚板を棚板支持部材に完全に挿入嵌合固定した状態で、棚板に上方からの力が働いた場合は無論のこと、棚板に下方からの力が働いた場合にても不安定にならず、すなわち、棚板の前後方向への揺動が発生しにくく、また棚板の脱落も起こりにくい構成とする。
＜課題３＞
しかも、棚板の挿入時や脱抜時には、円滑に挿入・脱抜が行える構成とする。
【００２２】
本来、課題２と課題３は矛盾する要請である。すなわち、棚板支持部材の挿入口における棚板の後部との嵌合構成を複雑なものとしたり、あるいは、棚板支持部材の挿入口において弾性体パッキンを広範囲に使用すれば、棚板の固定状態は安定的なものとなり、下方からの上向きの力が働いても脱落しにくい構成が得られるのは事実である。しかし、嵌合構成が複雑化したり、弾性体パッキンの使用面積が大きくなればなるほど棚板の挿入時あるいは脱抜時における円滑な操作性は失われ、扱いずらい製品となって、実際には使われなくなってしまう。したがって、課題２と課題３をうまくバランスさせるための構成が必要であり、その点の解決が、本発明の技術内容の中核となる。
【課題を解決するための手段】
【００２３】
本発明は、上記課題を解決するためになされたものであって、以下の解決手段を提供するものである。
＜解決手段１＞
壁面に固着される壁面パネルと、壁面パネルに嵌合固定される棚板支持部材と、棚板支持部材に一端部を挿入固定される棚板よりなる棚板支持機構において、
壁面パネルの位置する方向を後方、棚板の位置する方向を前方とした場合に、
壁面パネルの挿入口に棚板支持部材の背面が嵌合固定され、
棚板支持部材の上部支持板と下部支持板が水平面より微小角度だけ正面上方に傾斜されており、
棚板支持部材の下部支持板に正面側が高くなるように段部が形成されており、
棚板の背面端部に弾性体パッキンが被覆されており、
該弾性体パッキンは、上面の前端部が、正面に向かって厚さを減ずるようにテーパが付されており、該弾性体パッキンの下面においては、棚板支持部材の下部支持板の段部に略相対する位置に、段部が設けられており、該段部から背面側に背面に向かって厚さを減ずるようにテーパが付されており、
上記弾性体パッキンを被覆させた棚板の背面を棚板支持部材の上部支持板と下部支持板の間に完全に挿入嵌合させた際に、
棚板の弾性体パッキンの下面のテーパが付された部分と棚板支持部材の下部支持板の上面の間に背面に向かって高さを増す間隙が生じるように構成され、
且つ、棚板支持部材の下部支持板の段部と棚板に被覆された弾性体パッキンの下面の段部との間に僅かな間隙が生じるように構成されていることを特徴とする棚板支持機構。
＜解決手段２＞
棚板支持部材の上部支持板と下部支持板の挿入口を構成する部分の夫々内側にローレットが刻切されていることを特徴とする解決手段１に記載の棚板支持機構。
【発明の効果】
【００２４】
本発明の解決手段１の発明においては、上記課題１〜２を解決するために、まず、従来技術に比較して、はるかに広範囲に弾性体パッキンからなる摩擦層を用いることを考えた。すなわち、弾性体パッキンの摩擦力によって、棚板支持板の挿入口の中にて棚板の後端部が安定的に固定されるという構成を、弾性体パッキンからなる摩擦層を広く設けることによって、より効率的に作用させようと考えた。
【００２５】
その際、従来技術のように、棚板支持部材の挿入口を構成する上部支持板あるいは下部支持板の一部に弾性体パッキンを配置するのではなく、発想を逆転させて、棚板の後端部の棚板支持部材の挿入口に嵌合される部分の略全体を弾性体パッキンにて被覆する方法をとった。これは、まずなによりも、凹部となっている棚板支持部材の挿入口を弾性体パッキンで被覆するよりは、板状体の端部である棚板の後端部を弾性体パッキンで被覆する方が、はるかに工程的に楽であり簡便且つ確実な被覆が実現できるということによる。
【００２６】
またもう一つの理由は、本発明の解決手段２の発明にもかかわるものであるが、棚板側を弾性体パッキンにて被覆すれば、棚板支持部材の挿入口の方にローレットを刻切可能であるという点である。すなわち、本発明の解決手段２の発明にては、弾性体パッキンとローレットの組み合わせによって、より嵌合固定状態が確実となるように図ったものである。
【００２７】
もし、棚板支持部材の挿入口に弾性体パッキンを設けた場合、弾性体パッキンとローレットの組み合わせを実現しようとすれば、ローレットは棚板側に設けなければならなくなるが、例えば棚板の素材がガラスなどの場合には、棚板にローレットを設けるための工程が複雑となってしまう。これに対して、棚板支持部材をガラス製とすることは通常はあり得ないので、棚板支持部材の方にローレットを設けておけば棚板の素材はどんなものでも良く、その後端部を弾性体パッキンにて被覆するだけでよい。この点は、棚板素材の選択の自由度を増し、これは、棚板支持機構全体のデザインの自由度に直結するので、棚板支持機構を外観が重視される店舗等にて用いる場合には、重要な要素となるものである。
【００２８】
また、後述の段部の存在も、やはり棚板の方に弾性体パッキンを設けることとなった理由の一つである。すなわち、本発明の解決手段１の発明においては、棚板後端部に被覆された弾性体パッキン及び棚板支持部材の下部支持板の両方に略相対する段部を設けているが、もし、弾性体パッキンを棚板支持部材の方に設けた場合、これに相対する段部を、棚板後端部の下面に設けなければならず、棚板に対する工作が必要となる。ところが、これは、棚板の汎用性をやはり大きく損なう結果となる。これに対し、弾性体パッキンを棚板の方に設けることにすれば、棚板そのものは上面も下面も平板な単純な板状で良く、棚板の汎用性は非常に高くなる。
【００２９】
叙上のように、棚板後端部を被覆する弾性体パッキンを広い面積で設ければ、嵌合固定の際の安定性は増加し、課題１、２は満足される。しかるに、課題３はこれと相反して、弾性体パッキンを広く取れば、棚板の挿入時や脱抜時に、円滑な着脱が困難となるのは明白である。この矛盾した二つの要請を、いかに解決するかという問題に対して、本発明が到達した解決手段は、弾性体パッキンに、テーパを設けるということであった。
【００３０】
すなわち、棚板後端部を被覆する弾性体パッキンの上下にテーパを設ければ、着脱時の円滑さと、嵌合固定時の安定性の両方が満足される構成が得られるのではないかと考えた。しかし、テーパの状態を様々に設計してみると、単純に後端部に向かうに従って弾性体パッキンの層の厚さを減じるようなテーパを設けるだけでは、上記の矛盾した要請をどちらも満足させることは困難であるということが、判明してきた。
【００３１】
すなわち、棚板下部を被覆する弾性体パッキンにおいては、後端部に向かうに従って弾性体パッキンの層の厚さを減じるようなテーパを設ければ問題ないことは判明した。しかしながら、棚板上部を被覆する弾性体パッキンにおいては、後端部に向かうに従って弾性体パッキンの層の厚さを減じるようなテーパを設けてしまうと、嵌合固定時に、安定性に重大な欠陥が生じることが明らかとなったのである。
【００３２】
この点は、棚板支持部材の挿入口内部における棚板後端部の回転モメント支点の配置に深く関係している。すなわち、棚板には、通常中央部から前端部にかけて上方から荷重がかかるが、これは、棚板全体に、前部が下がり後部が上がるような回転モメントがかかっている状態であると解される。したがって、棚板支持部材の挿入口内部における棚板の最後端部には、常に最後端部を上方に回転させるような回転モメントが働いている。これは、棚板に何も載置されていない状態にても、棚板の自重によってやはりそのような状態となっている。
【００３３】
しかるに、棚板上部を被覆する弾性体パッキンにおいて後端部に向かうに従って弾性体パッキンの層の厚さを減じるようなテーパを設けてしまうと、回転モメントの支点となるべき棚板の最後端部上面が棚板支持部材の上部支持板の下面と離間させられることとなり、この部分での支点が失われて、嵌合状態が不安定化する。逆に、棚板の最後端部下面においては、回転モメント支点が存在しないので、この部分が下部支持板の上面から離間状態となっても、嵌合固定状態の安定性に及ぼす影響ははるかに少ない。
【００３４】
したがって、棚板の最後端部の上部を被覆する弾性体パッキンには後端部に向かうに従って弾性体パッキンの層の厚さを減じるようなテーパは設けず、棚板の最後端部の下部を被覆する弾性体パッキンには後端部に向かうに従って弾性体パッキンの層の厚さを減じるようなテーパを設けるという構成に到達した。また、棚板の後端部上部を被覆する弾性体パッキンにおいては、弾性体パッキンの層の厚さを一定とした場合に、脱抜時に棚板支持部材の上部支持板の前端部と弾性体パッキンの前端部が衝突するため、この部分に、逆に前端部に向かうに従って弾性体パッキン層の厚さを減じるような極く短いテーパを設けることとした。
【００３５】
次に、嵌合固定時における安定性をさらに増す構成として、棚板支持部材の下部支持板と、棚板の後端部に被覆された弾性体パッキンの双方の略相対する位置に、段部を設けることを考えた。すなわち、棚板に上方からの荷重がかかる通常の状態にては、弾性体パッキンを広面積に設けている効果として、嵌合固定状態は非常に安定している。しかるに、棚板に下方から突き上げるような上向の力が働いた場合、しかも、その力と同時に、棚板を前方に動かすような力が働いた場合、嵌合固定状態は不安定となり、弾性体パッキンの摩擦力だけでは持ちこたえられなくなると、棚板の脱抜、脱落という事態にまで至りかねない。
【００３６】
このような事態が生じる原因は、棚板を脱抜させるような上記の２つの力の合力が、水平からある一定の範囲の角度を許容されている点にあると考えられる。すなわち、上記の２つの力の合力が水平からある一定の範囲の角度で働いた場合、棚板は前方に動いて脱抜されるに至る。したがって、このような事態を防止するために、棚板が脱抜されるための角度範囲を極限にまで狭くする構成を考えた。該構成は、棚板支持部材の下部支持板と、棚板の後端部に被覆された弾性体パッキンの双方の略相対する位置に、段部を設けるという解決手段によって具体化された。
【００３７】
すなわち、上記合力が働くだけでは、棚板支持部材の下部支持板に設けられた段部と棚板の後端部下面に被覆された弾性体パッキンに設けられた段部が衝突して、棚板は脱抜されない。ここで、棚板の後端部下面に被覆された弾性体パッキンに設けられた段部の下端が棚板支持部材の下部支持板に設けられた段部の上端を越える角度になった場合に、はじめて棚板の脱抜が発生する。しかるに、この棚板の脱抜が発生する角度において、棚板の後端部上面に被覆された弾性体パッキンの前端部のテーパが棚板支持部材の上部支持板の下面の角度と一致するように構成しておけば、この角度以上に棚板が傾くと、今度は棚板の後端部上面に被覆された弾性体パッキンの前端部が棚板支持部材の上部支持板の下面に衝突してやはり棚板の脱抜は発生しない。
【００３８】
したがって、段部がない場合には一定の角度範囲の合力が働けば棚板の脱抜が発生していた状態が、ピンポイントの特定の角度に限定された合力が働いたときにだけ、はじめて脱抜が発生することとなる。したがって、操作者が、棚板を脱抜せんとしてこの角度にて棚板を前方やや上方に引き出したときにのみ棚板は脱抜され、ランダムに働く下方からの力によっては、棚板の脱抜は略発生しない。このように構成することにより、下方からの力に対しても、堅固な安定性を獲得できるに至ったのである。
【００３９】
なお、上記構成により、操作者が棚板を脱抜せんとした場合に、その操作が困難になるかといえば、極度な困難は発生しない。というのは、操作者には、棚板を持つ手の感覚によって、棚板の後端部下面に被覆された弾性体パッキンに設けられた段部の下端と棚板支持部材の下部支持板に設けられた段部の上端が一致する角度を感じ取ることができるからである。
【００４０】
すなわち、操作者は、棚板を前方に引っ張りながら少しずつ棚板を傾けていけば、棚板の後端部下面に被覆された弾性体パッキンに設けられた段部の下端と棚板支持部材の下部支持板に設けられた段部の上端が一致した瞬間に棚板の前方移動に対する障害が消失するので、棚板を前方に動かす力が自然に働いて、棚板は円滑に脱抜される。したがって、脱抜の意図をもって棚板を操作する動きに対しては円滑に脱抜が行われ、ランダムに働く力に対しては棚板の脱抜が生じないように抑制するという、極めて有効な効果を奏するものである。
【００４１】
また、嵌合状態が安定した時点にて、棚板の後端部下面に被覆された弾性体パッキンに設けられた段部と棚板支持部材の下部支持板に設けられた段部の間に僅かな間隙が生じるように構成されている点も重要であり、この間隙があるために、棚板の脱抜が円滑に行われる。すなわち、脱抜時には棚板を僅かに前方に引くことによってこの間隙が埋められ、棚板の後端部下面に被覆された弾性体パッキンに設けられた段部と棚板支持部材の下部支持板に設けられた段部が当接するが、それにより、棚板後端部、すなわち棚板に被覆された弾性体パッキンの背面部と棚板支持部材の挿入口の後端部に僅かの間隙が生じる。
【００４２】
この間隙が生じるゆえに、棚板全体に回転モメントを働かせることが可能となり、棚板前方を僅かに持ち上げることによって、棚板支持部材の挿入口の後端部に生じた僅かな空隙の内部にて棚板後端部すなわち棚板に被覆された弾性体パッキンの背面部が回動し、ゆえに、棚板の後端部下面に被覆された弾性体パッキンに設けられた段部の下端が上昇して棚板支持部材の下部支持板に設けられた段部の上端に一致する位置にまで移動させられることが可能となる。
【００４３】
したがって、棚板を挿入する際に、棚板の後端部下面に被覆された弾性体パッキンに設けられた段部と棚板支持部材の下部支持板に設けられた段部の間に僅かな間隙が生じるよう、つまり棚板に被覆された弾性体パッキンの背面部が棚板支持部材の挿入口の後端部に当接するように棚板を押し込むことによって、棚板後端部は棚板支持部材の挿入口内部でいわばロックがかかった状態となり、安定する。
【００４４】
そして、脱抜の際に、棚板の後端部下面に被覆された弾性体パッキンに設けられた段部と棚板支持部材の下部支持板に設けられた段部の間に僅かな間隙を消失させるように棚板を僅かに前方に引く操作が、いわばロックの解除操作となり、この操作によってはじめて棚板は棚板支持部材の挿入口内部で回転できる状態となる。このような「ロックの解除」に相当する僅かな操作は、ランダムに働く力では不可能なものであって、棚板を脱抜せんとする操作者の意志によってはじめて可能となるものであるから、上記の僅かな間隙が、棚板の嵌合固定状態の安定性に齎す効果は非常に大きなものがある。
【００４５】
なお、棚板の後端部に被覆された弾性体パッキンの後部の下面に設けられた長いテーパと棚板支持部材の下部支持板の上面の間に生じている空隙が、上記棚板の回転において重要な役割を果たしている点については、いうまでもないことである。
【発明を実施するための最良の形態】
【００４６】
本発明を実施するための最良の形態を、以下に図面を参照しながら詳細に説明する。
【実施例１】
【００４７】
図１は、本発明の実施例１の棚板支持機構Ｔを縦断面図で表したものである。本発明の実施例１の棚板支持機構Ｔは、壁面パネル１の位置する方向を後方、棚板３の位置する方向を前方とした場合に、図６に見るように、左右に連続する構成であるので、図１のように任意の箇所の縦断面を切り取ることによって、その全体構成を総覧することができる。
【００４８】
図１において、Ｗは棚板支持機構Ｔが装着される壁面であり、１は壁面Ｗに螺着される壁面パネルである。壁面パネル１は、任意の枚数の壁面パネル部材１１、１１、……を上下方向に連続して構成されており、１枚の壁面パネル部材１１の上端部とそのすぐ上に位置する壁面パネル部材１１の下端部が嵌合して、全体として緊密な壁面パネル１を構成するように組み上げられている。なお、１２は、最下段の壁面パネル部材１１の下端部に嵌合される端末部材である。
【００４９】
壁面パネル部材１１には棚板支持部材２を挿入する挿入口１５が２箇所設けられており、挿入口１５に棚板支持部材２が嵌合固定される。なお、１３は壁面パネル部材１１の正面に固着される化粧ボードである。壁面パネル部材１１及び端末部材１２は実施例１にては軽金属製であり、化粧ボード１３は化粧合板等である。
【００５０】
棚板支持部材２は、図２の縦断面図に見るように、微小角度αだけ正面側が上方に傾斜された上部支持板２１、微小角度αだけ正面側が上方に傾斜された下部支持板２２、上部支持板２１の中央やや後寄りの部分と下部支持板２２の後端部を一体に接続している連結板２３、下部支持板２２の前端部から背面方向斜め下方に延伸された支持板２４、下部支持板２２の後端部近傍と支持板２４の後端部近傍を連結する補強板２５、そして、上部支持板２１の後端部が上方に曲折されて垂直上方に起立する嵌合端部２６、支持板２４の後端から垂直上方に起立する圧接端部２７がすべて一体として構成されている。上部支持板２１と下部支持板２２が微小角度αだけ傾斜されているので、上部支持板２１と下部支持板２２の間に形成される挿入口ＩＮもやはり微小角度αだけ正面側が上方に傾斜されている。微小角度αは、実施例１の棚板支持機構Ｔにおいては水平面Ｈに対し略１．５°となっている。挿入口ＩＮの部分を拡大した断面図を図７に示す。
【００５１】
上部支持板２１は、正面端部の上面に、正面側に向かうほど高さを減ずるテーパＴ２１が付されている。また、上部支持板２１の中央から正面側の本体部２１１の下面にはローレットＲ２１が刻切されている。なお、２１２は上部支持板２１の背面部である。また、下部支持板２２の正面から３分の１程度背面側に入った部分に段部Ｄ１が設けられており、下部支持板２２は、段部Ｄ１を境として正面側がやや高い正面部２２２、背面側がやや低い本体部２２１として構成されている。
【００５２】
段部Ｄ１は、下部支持板２２の上面において、正面側が高く、背面側が低くなるように構成されている。また、正面部２２２の上面にはローレットＲ２２ｂが、本体部２２１の上面にはローレットＲ２２ａが、夫々刻切されている。さらに、上部支持板２１の本体部２１１と連結板２３と下部支持板２２に囲繞された空間が、挿入口ＩＮとして構成されている。
【００５３】
図２において、３は棚板であり、実施例１にてはガラス製である。また、４は棚板３の後端部に被覆された弾性体パッキンである。弾性体パッキン４は、棚板３の後端部の上面３１を被覆する上部層４１、棚板３の後端部の下面３２を被覆する下部層４２、棚板３の後端部の背面３３を被覆する背面層４３が一体として構成されており、下部層４２は上部層４１の倍以上の延長を前後方向に有している。棚板３の後端部及び弾性体パッキン４の拡大した断面図を図８に示す。
【００５４】
弾性体パッキン４の上部層４１の正面側の上面には短いテーパＴ４１が付されている。テーパＴ４１は正面方向に向かうに従い上部層４１の厚さを減ずるように付されている。また、下部層４２の下面の正面から３分の１程背面側の部分には、段部Ｄ２が設けられている。段部Ｄ２は、棚板支持部材２の下部支持板２２に設けられた段部Ｄ１に略相対する位置に設けられているが、下部支持板２２の段部Ｄ１と弾性体パッキン４の下部層４２の段部Ｄ２は、棚板３が棚板支持板２の挿入口ＩＮに完全に嵌合固定された状態（図２）において、僅かの間隙Ｃ１を生じるように構成されている（拡大図を図９に示す）。
【００５５】
弾性体パッキン４の下部層４２は段部Ｄ２より正面側の正面部４２２と段部Ｄ２より背面側の背面部４２１で、夫々の層厚が異なっており、正面部４２２のほうが層厚が薄く、背面部４２１の方が層厚が厚く構成されている。段部Ｄ２は正面側端部が背面側端部より高い位置にあり、段部Ｄ２によって下部層４２の厚さが背面部４２１と正面部４２２で切り替えられている。また、背面部４２１には、背面側に向かうに従い層厚を減ずるような長いテーパＴ４２が付されており、下部支持板２２の段部Ｄ１と弾性体パッキン４の下部層４２の段部Ｄ２は、棚板３が棚板支持部材２の挿入口ＩＮに完全に嵌合固定された状態（図２、図９）において、下部支持板２２の本体部２２１の上面と弾性体パッキン４の下部層４２の背面部４２１の下面の間には、断面が平たい略三角形状の間隙Ｃ２が生じるように構成されている。
【００５６】
次に、実施例１の棚板支持機構Ｔの組付け構成について、図面を参照しながら詳細に説明する。実施例１の棚板支持機構Ｔを使用するにあたっては、まず、壁面パネル１の最下端の位置決めを行って、最下端部に端末部材１２を配設し、壁面Ｗに螺着する。次に、壁面パネル部材１１の下端部を端末部材１２に嵌着させ、壁面パネル部材１１を壁面Ｗに螺着する。さらに、もう１枚の壁面パネル部材１１の下端部を、先に螺着されている壁面パネル部材１１の上端部に嵌着させ、壁面Ｗに螺着する。
【００５７】
以下、この工程を繰り返して複数の壁面パネル部材１１、１１、……を下から上へと壁面Ｗに螺着し、所望の枚数の壁面パネル部材１１、１１、……の螺着が終了すれば、最上段の壁面パネル部材１１の上端部に図示しない上部端末部材を嵌着させ、壁面パネル１の壁面Ｗへの装着が完了する。装着が完了すれば、夫々の壁面パネル部材１１の所定の位置に化粧ボード１３を固着させれば、壁面パネル部材１１を螺着していたネジが隠されてシンプルな外観となると同時に、化粧ボード１３により棚板支持部材２の圧接端部２７が圧接される面（化粧ボード１３の正面）が確保される。
【００５８】
このようにして壁面Ｗに螺着された壁面パネル１には、上下に等間隔に棚板支持部材２の嵌合端部２６の挿入口１５、１５、……が並列されている。挿入口１５は、図６にて明らかなように、水平方向に連続した形態で現れるが、その断面構成を見ると、図１、図２に明らかなように、正面側は上部水平部材１５ｃと下部水平部材１５ｄの間に生じる間隙Ｃ３となっており、間隙Ｃ３は、その奥に生じている空間Ｓ１に連通している。
【００５９】
空間Ｓ１は、上部水平部材１５ｃの後端から上部水平部材１５ｃと一体に起立する上部垂直部材１５ａ、下部水平部材１５ｄの後端から下部水平部材１５ｄと一体に下垂される下部垂直部材１５ｂ、上部垂直部材１５ａの中央部から後方に、上部垂直部材１５ａと一体に延伸される上部脚１５ｅ、下部垂直部材１５ｂの中央部から後方に、下部垂直部材１５ｂと一体に延伸される下部脚１５ｆ、上部脚１５ｅと下部脚１５ｆの後端に上部脚１５ｅと下部脚１５ｆと一体に垂設されている基板１４に囲繞された直方体状の空間である。なお、空間Ｓ１の後端となっている基板１４の正面にはローレットＲ１１が刻切されている。
【００６０】
挿入口１５、１５、……は、上下に一定の間隔で壁面パネル１の正面に開口しているので（図６参照）、任意の挿入口１５を選択して棚板支持部材２を挿入し嵌合固定させる。挿入方法は、まず棚板支持部材２を正面上端部が上がり、背面下端部が下がるように傾斜させ、しかる後に背面上端部の嵌合端部２６を挿入口１５に挿入し、嵌合端部２６が空間Ｓ１に挿入されたら棚板支持部材２の正面上端部を下げて略水平状態とする（図１）。すると、嵌合端部２６は空間Ｓ１の上部に遊嵌状態となる。
【００６１】
この状態を、さらに詳細に見れば、図２に示すように、嵌合端部２６の正面上端２６ａが壁面パネル部材１１の上部垂直部材１５ａの背面に当接係止され、上部支持板２１の背面端部２１２が壁面パネル部材１１の下部水平部材１５ｄの上面に載置され、圧接端部２７の背面が壁面パネル部材１１の化粧ボード１３の正面に圧接されて、棚板支持部材２は壁面パネル部材１１に安定的に嵌合固定される。
【００６２】
棚板支持部材２に働く力は、通常であれば、図２、図９のように、後端部に弾性体パッキン４を被覆させた棚板３を嵌合させた状態で、棚板支持部材２を図２、図９にて時計回り（方向Ｘ１）に回転させようとする力であるが、この力が働くと、嵌合端部２６の正面上端２６ａは上部垂直部材１５ａの背面にさらに強く圧接され、圧接端部２７は化粧ボード１３の正面にさらに強く圧接されるので、結果として棚板支持部材２の安定性はさらに増加する。したがって、通常の使用にては、棚板支持部材２が壁面パネル部材１１から脱落することはあり得ない。
【００６３】
次に、なにかの拍子に、図２、図９の状態で、棚板支持部材２を反時計回り（方向Ｘ２）に回転させようとする力が働いた場合、圧接端部２７は化粧ボード１３の正面から離間しようとする動きとなる。しかし、嵌合端部２６は、空間Ｓ１内にて持ち上げられつつ後退するのですぐに背面端部２６ｂが壁面パネル部材１１の基板１４の正面に当接され、そこで回転は停止される。基板１４の正面にはローレットＲ１１が刻切されており、背面端部２６ｂが当接された場合、背面端部２６ｂが上下方向に滑りにくいように摩擦力を高める働きをする。
【００６４】
上記のような次第により、棚板支持部材２は、方向Ｘ１の力が働いた場合にはより安定性を増し、方向Ｘ２の力が働いた場合には、僅かにＸ２方向に回動させられるがすぐに停止され、方向Ｘ２の力が消滅すればたちどころに図２、図９に示す安定状態に復元される。したがって、棚板支持部材２は、壁面パネル部材１１に、安定した嵌合固定状態で組みつけられるものである。
【００６５】
次に、図５に見るように、予め後端部に弾性体パッキン４が被覆された棚板３を棚板支持部材２の挿入口ＩＮに挿入する（方向Ｘ３）。この際、挿入の角度βは、挿入口ＩＮが水平面Ｈとなす微小角度αよりもやや大とする。この角度βは、さほど厳密に取らなくても、微小角度αよりも数倍程度大であるくらいの感覚で挿入を進めていけば良い。
【００６６】
角度βが大きすぎれば、図１３に見るように、弾性体パッキン４の下部層４２の背面部４２１の後端が下部支持板２２の本体部２２１の上面に衝突してそれ以上挿入ができなくなるので、角度βをより小に修正する。また、角度βが小さすぎると、図１４に見るように今度は弾性体パッキン４の上部層４１の後端が上部支持板２１の正面に衝突してやはりそれ以上挿入ができなくなるので、角度βをより大に修正する。
【００６７】
このように、角度βに適宜修正を加えながら棚板３の後端部を挿入口ＩＮに挿入していけば（図１２の方向Ｘ５）、棚板３の後端部は挿入口ＩＮの奥まで挿入され、図９に見るように、弾性体パッキン４の背面層４３の背面が挿入口ＩＮの後端となる連結板２３の正面に当接されて、そこで挿入は停止される。この際、図１２に見るように、弾性体パッキン４の下部層４２の背面部４２１にテーパＴ４２が付されているので、適切な角度βで棚板３が挿入された場合に、背面部４２１の下面が水平面Ｈとなす角度γが下部支持板２２の正面部２２２が水平面Ｈとなす角度αに近接することになり、背面部４２１の下面は下部支持板２２の正面部２２２の上面の一部に接触したまま摺動されて、棚板３の挿入は円滑に行われる。
【００６８】
このように棚板３の挿入が行われて、図９の状態となると、上述のように弾性体パッキン４の背面層４３の背面が挿入口ＩＮの後端となる連結板２３の正面に当接されてそれ以上の挿入が停止されるが、この際には、棚板支持部材２の下部支持板２２に設けられた段部Ｄ１と弾性体パッキン４の下部層４２に設けられた段部Ｄ２の間に、僅かな間隙Ｃ１が生じている。この間隙Ｃ１が、棚板３を挿入口ＩＮから脱抜する際に、重要な役割を果たす。
【００６９】
棚板３の挿入が完了して図９に示す状態となれば、これで、棚板支持機構Ｔの組付けは完了であるので、棚板３の上面３１に陳列物（図示せず）を載置して使用すれば良い。この際、通常の使用においては、棚板３の自重や載置した陳列物の荷重によって、棚板３には常にＸ１方向の回転モメントが働いている。そして、このＸ１方向の回転モメントは、回転モメントの支点Ｍ１、Ｍ２にて受けられる。
【００７０】
支点Ｍ１は、弾性体パッキン４の上部層４１の上面後端が上部支持板２１の本体部２１１の下面後端に当接している箇所に位置し、支点Ｍ２は、弾性体パッキン４の下部層４２の正面部４２２の下面前端が下部支持板２２の正面部２２２の上面前端に当接している箇所に位置する。このように、回転モメントの支点Ｍ１、Ｍ２が可能な限り離間された位置にあるので、結果として挿入口ＩＮ内での棚板３の嵌合固定状態は極めて安定したものとなる。
【００７１】
また、回転モメントの支点Ｍ１より前方においては、弾性体パッキン４の上部層４１の上面全体が上部支持板２１の本体部２１１の下面全体に当接されており、回転モメントの支点Ｍ２より後方においては、弾性体パッキン４の下部層４２の正面部４２２の下面全体と下部支持板２２の正面部２２２の上面全体が当接され、且つ、下部層４２の背面部４２１の下面前方部と下部支持板２２の本体部２２１の上面前方部が当接された状態にあるので、棚板３の嵌合固定状態はより安定する。これに加え、弾性体パッキン４の摩擦力と弾性体パッキン４に当接しているローレットＲ２１、Ｒ２２ａ、Ｒ２２ｂの作用により、棚板３の嵌合固定状態はさらに安定的なものとなる。
【００７２】
次に、極く稀に、図９に示すＸ２方向の回転モメントが働いた場合には、弾性体パッキン４の下部層４２の背面部４２１の下面と棚板支持部材２の下部支持板２２の本体部２２１の上面との間に間隙Ｃ２があるので、棚板３はＸ２方向に回転しようとする。ところが、弾性体パッキン４の背面層４３の背面と連結板２３の正面が隙間なく当接されているので、実際には回転は起こらない。また、この際、弾性体パッキン４の摩擦力が、さらにブレーキとしての役割を果たす。したがって、Ｘ１方向の回転モメントに対しても、Ｘ２方向の回転モメントに対しても、棚板３の嵌合固定状態は安定している。
【００７３】
次に、棚板３を脱抜させる方向、すなわち図９におけるＸ４方向の力が加わった場合を考えてみる。この場合、Ｘ４方向の力が弱ければ弾性体パッキン４の表面と挿入口ＩＮに設けられたローレットＲ２１、Ｒ２２ａ、Ｒ２２ｂの間の摩擦力で、棚板３のＸ４方向への移動は阻止される。
【００７４】
Ｘ４方向の力が弾性体パッキン４の表面と挿入口ＩＮに設けられたローレットＲ２１、Ｒ２２ａ、Ｒ２２ｂの間の摩擦力を凌駕すると、棚板３はＸ４方向へ移動させられる。しかし、この移動はすぐに停止されてしまう。すなわち、棚板３が僅かにＸ４方向へ動いた時点で、図１０に示すように、弾性体パッキン４の段部Ｄ２と下部支持板２２の段部Ｄ１が当接して間隙Ｃ１がゼロとなり、棚板３のこれ以上のＸ４方向への移動が阻止される。したがって、棚板３の嵌合固定状態は、Ｘ４方向の力に対しても安定的である。
【００７５】
しからば、図９にてＸ２方向の力とＸ４方向の力が同時に働いた場合にはどのような事態となるだろうか。棚板３はＸ４方向の力によって若干Ｘ４方向に移動して図１０の状態となり、弾性体パッキン４の背面層４３の背面と連結材２３の正面の間には間隙Ｃ４が生じ、この間隙Ｃ４により棚板３の回動が可能となる。しかし、この時点においてもさらにＸ４方向の力が働き続けると、段部Ｄ２は段部Ｄ１に圧接された状態となって、棚板３の固定状態は解除されない。
【００７６】
図１０の状態で一旦Ｘ４方向の力が消滅してＸ２方向の力だけになれば、棚板３はＸ２方向に回転して図１１に示す状態となり、ここで次にＸ６方向の力、すなわち、図１１における棚板３の延長方向の力が働けば、棚板３はＸ６方向に脱抜されてしまうことになる。しかしながら、そのようにＸ４方向の力、Ｘ２方向の力、そしてＸ６方向の力が順番に選択的に働くということは、偶然ではあり得ず、そこには、棚板３を挿入口ＩＮから脱抜せんとする意図的な力が働いているということになる。したがって、逆に言えば、棚板３は、意図的に棚板３を挿入口ＩＮから脱抜せんとする力が働かない限り、極めて安定的に挿入口ＩＮに嵌合固定された状態が保持されるということである。
【００７７】
棚板３を挿入口ＩＮから脱抜せんとする場合には、既に上記に述べたように、図９の状態から棚板３を僅かに方向Ｘ４に動かして弾性体パッキン４の背面層４３の背面と連結板２３の正面の間に間隙Ｃ４を形成し、間隙Ｃ１はゼロとし（図１０参照）、ここで一旦方向Ｘ４の力を解除し、棚板３を方向Ｘ２に僅かに回転させる。
【００７８】
棚板３の回転は、段部Ｄ１の上端部Ｄ１ａと段部Ｄ２の下端部Ｄ２ａが同じ高さになったときに（図１１参照）下部層４２の背面部４２１の下面後端が下部支持板２２の本体部２２１の上面後端に当接し、背面層４３の背面上端が連結板２３の正面上端付近に当接し、上部層４１の上面前端のテーパＴ４１が上部支持板２１の本体部２１１の下面前端に当接して停止され、図１１に示す状態となる。ここで、棚板３を延長方向（方向Ｘ６）に引き抜くと、棚板３は挿入口ＩＮから脱抜される。
【産業上の利用可能性】
【００７９】
本発明の棚板支持機構においては、課題の項目にて述べたように、嵌合固定状態にある棚板の安定性と、棚板の着脱の際の操作性の良さという相矛盾する２つの課題をどちらも満足させることを試み、そして満足する結果が得られたものである。すなわち、従来の発明・考案においては、安定性の確保かあるいは着脱の操作性の良さかの２者択一とならざるを得なかったのであるが、弾性体パッキンを棚板側に設けるという逆転の発想と、弾性体パッキンにテーパを設け、さらに弾性体パッキンと棚板支持部材の双方に段部を設けるという構成により、矛盾する２課題を両方共に解決することに成功したものであり、各種店舗の内装は無論のこと、家庭や事業所、公共施設等における棚板支持機構として、幅広い利用が考えられるものである。
【図面の簡単な説明】
【００８０】
【図１】本発明の実施例１の棚板支持機構の要部の縦断面図である。
【図２】図１の要部拡大図である。
【図３】本発明の実施例１の棚板支持機構の作用を説明する説明図である。
【図４】本発明の実施例１の棚板支持機構の作用を説明する説明図である。
【図５】本発明の実施例１の棚板支持機構の作用を説明する説明図である。
【図６】本発明の実施例１の棚板支持機構の要部の一部を切欠した外観斜視図である。
【図７】本発明の実施例１の棚板支持機構の棚板支持部材の要部の縦断面図である。
【図８】本発明の実施例１の棚板支持機構の棚板の弾性体パッキンが被覆された後端部の縦断面図である。
【図９】本発明の実施例１の棚板支持機構の弾性体パッキンに被服された棚板の後端部と棚板支持部材の要部の嵌合状態を示す縦断面図である。
【図１０】本発明の実施例１の棚板支持機構の作用を説明する説明図である。
【図１１】本発明の実施例１の棚板支持機構の作用を説明する説明図である。
【図１２】本発明の実施例１の棚板支持機構の作用を説明する説明図である。
【図１３】本発明の実施例１の棚板支持機構の作用を説明する説明図である。
【図１４】本発明の実施例１の棚板支持機構の作用を説明する説明図である。
【符号の説明】
【００８１】
１        壁面パネル
１１      壁面パネル部材
１２      端末部材
１３      化粧ボード
１４      基板
１５      挿入口
１５ａ    上部垂直部材
１５ｂ    下部垂直部材
１５ｃ    上部水平部材
１５ｄ    下部水平部材
１５ｅ    上部脚
１５ｆ    下部脚
２        棚板支持部材
２１      上部支持板
２１１    本体部
２１２    背面部
２２      下部支持板
２２１    本体部
２２２    正面部
２３      連結板
２４      支持板
２５      補強板
２６      嵌合端部
２６ａ    正面上端
２６ｂ    背面端部
２７      圧接端部
３        棚板
３１      上面
３２      下面
３３      背面
４        弾性体パッキン
４１      上部層
４２      下部層
４２１    背面部
４２２    正面部
４３      背面層
Ｃ１      間隙
Ｃ２      間隙
Ｃ３      間隙
Ｃ４      間隙
Ｄ１      段部
Ｄ１ａ    上端部
Ｄ２      段部
Ｄ２ａ    下端部
Ｈ        水平面
ＩＮ      挿入口
Ｍ１      支点
Ｍ２      支点
Ｒ１１    ローレット
Ｒ２１    ローレット
Ｒ２２ａ  ローレット
Ｒ２２ｂ  ローレット
Ｓ１      空間
Ｔ        棚板支持機構
Ｔ２１    テーパ
Ｔ４１    テーパ
Ｔ４２    テーパ
Ｗ        壁面
Ｘ１      方向
Ｘ２      方向
Ｘ３      方向
Ｘ４      方向
Ｘ５      方向
Ｘ６      方向
α        微小角度
β        角度
γ        角度
【図１】
2010136970.tif 000003
【図２】
2010136970.tif 000004
【図３】
2010136970.tif 000005
【図４】
2010136970.tif 000006
【図５】
2010136970.tif 000007
【図６】
2010136970.tif 000008
【図７】
2010136970.tif 000009
【図８】
2010136970.tif 000010
【図９】
2010136970.tif 000011
【図１０】
2010136970.tif 000012
【図１１】
2010136970.tif 000013
【図１２】
2010136970.tif 000014
【図１３】
2010136970.tif 000015
【図１４】
2010136970.tif 000016